(57)【要約】【課題】薄板小片状チップを容器から振り出すに当たって、振り出し性能を高め、併せてこの薄板小片状チップの端部を可及的に手指の接触から開放して、高い乾燥性を確保したり、電極の汚損を可及的に少なく出来るようにする。【解決手段】ケース３内に板状体８を収容したカートリッジ５と弾性体１５付きの底蓋５を装着してこの弾性体１５の弾発力によってカートリッジ４内の板状体８にケース３に設けた繰り出し口７側へ常時押圧力を負荷するようしておき、カートリッジ４内の最上部の板状体８Ａを、その繰り出し方向先端よりも後方に寄った部位に繰り出し力を負荷しつつ、繰り出し口７から順次一枚ずつ引き出すようにするとともに、板状体８を取り出した後は直ちに次位の板状体８が繰り出し口７に臨むようにした。【選択図】      図１
2006347550.tif 000002
【特許請求の範囲】
【請求項１】
ケース内に板状体を収容したカートリッジと弾性体付きの底蓋を装着してこの弾性体の弾
発力によってカートリッジ内の板状体にケースに設けた繰り出し口側へ常時押圧力を負荷
するようしておき、カートリッジ内の最上部の板状体を、その繰り出し方向先端よりも後
方に寄った部位に繰り出し力を負荷しつつ、繰り出し口から順次一枚ずつ引き出すように
するとともに、板状体を取り出した後は直ちに次位の板状体が繰り出し口に臨むようにし
たことを特徴とする板状体振り出し容器。
【請求項２】
ケース本体に対して開閉する上蓋を備えると共に、板状体を一枚ずつ取り出し可能にした
繰り出し口を備えたケースと、このケースに挿抜自在に嵌合される板状体を積層して収容
してあるカートリッジと、板状体を前記繰り出し口に向けて常時押圧するように働く弾性
体を備えてケースの底部に着脱自在に装着される底蓋を備えたことを特徴とする板状体振
り出し容器。
【請求項３】
ケースの繰り出し口には、少なくとも板状体の長さ方向の１／２〜２／３の範囲を覆う上
壁が設けられている請求項１又は２のいずれかに記載の板状体振り出し容器。
【請求項４】
繰り出し口の上壁はこの繰り出し口の上方全域を覆い、板状体の長さ方向に対応する一側
面に板状体を容器外方へ送り出すスライド出口が形成されている請求項１又は２の何れか
に記載の板状体振り出し容器。
【請求項５】
繰り出し口の上壁には、最上部の板状体に接触してこれを容器外方へ送り出す送り出しロ
ーラが設けられている請求項１〜４のいずれかに記載の板状体振り出し容器。
【請求項６】
ケースと上蓋、また、ケースと底蓋との閉め合わせ部には気密素子が設けられいる請求項
１〜５のいずれかに記載の板状体振り出し容器。
【請求項７】
カートリッジは上下開放で、底部の内周には板状体支持フランジが設けられている請求項
１〜６のいずれかに記載の板状体振り出し容器。
【請求項８】
カートリッジは底部に乾燥剤が収容されていて、上部に載置された板状体はこの乾燥剤を
介して弾性体の弾発力によって繰り出し口側に押圧されるようにしてある請求項１〜７の
いずれかに記載の板状体振り出し容器。
【発明の詳細な説明】
【技術分野】
【０００１】
本発明は、板状体、例えば血糖値センサーなどの医療関係の測定、検査、治療などに使
用する医療用センサーチップ或いは電極があって手で触れないほうが良い板状の検出チッ
プなどの薄板小片状チップを一枚ずつ取り出すための板状体振り出し容器に関する。
【背景技術】
【０００２】
従来のこれら医療用センサーチップやその他の検出チップは、一般に小片で、薄板状の
形状を呈していて、このような形状のセンサーチップなどを収容するための容器としては
、外気や湿気、更には雑菌などの侵入を防止する必要上、気密性や密封性のある容器が使
用されている。具体的には、いずれにしても筒状の容器本体とその薄板小片状チップを振
り出す口を気密に閉止するキャップと、必要に応じて底部に乾燥剤を配置するなどの手段
が採用されている。
【特許文献１】特開２００１−２４７１７７号公報
【発明の開示】
【発明が解決しようとする課題】
【０００３】
このような従来の容器は、先ず第１に薄板小片状チップの振り出しが、やはりスムーズ
でない問題点がある。つまり、薄板小片状チップはランダムに収容されているために、容
器を逆さにして薄板小片状チップを振り出そうとすると、全ての薄板小片状チップが一度
に振り出し口に殺到し、要するに振り出し口手前で団子状となってしまい、スムーズな振
り出しが困難である。また、それを整理する構造も考えられているが、基本的には団子状
態を根本的に解消すには至っていない。つまりは、振り出し作業がスムーズに運ばない点
では大差がなく、振り出しの確実性に問題があった。
【０００４】
それと今一つの問題としては、振り出された薄板小片状チップは、容器を逆さまにして
振り出す構造になっているから、どうしても薄板小片状チップの端を手指で把持せねばな
らず、特に乾燥能力を必要とするものや端部に電極があるチップなどには、この手で把持
する作業は馴染まず、理想的な振り出し容器は見当たらない。
【０００５】
本発明者は、この従来の振り出し容器の問題点を解決して、振り出しの確実性を確保す
る手段を種々模索していたところ、複写機の給紙トレーにおけるコピー用紙繰り出しシス
テムに目が留まった。これが開発の原点となり、その後種々試行錯誤の結果、薄板小片状
チップの振り出しの確実性を従来の容器に比べて遥かに優れている容器を開発したので、
ここに提案する。
【０００６】
したがって、この発明の目的は、板状体、つまり以上のような薄板小片状チップを容器
から振り出すに当たって、振り出し性能を高め、併せてこの薄板小片状チップの端部を可
及的に手指の接触から開放して、高い乾燥性を確保したり、電極の汚損を可及的に少なく
出来るようにする点にある。
【課題を解決するための手段】
【０００７】
以上の技術的な課題を解決するために、本発明の請求項１に係る板状体振り出し容器は
、ケース内に板状体を収容したカートリッジと弾性体付きの底蓋を装着してこの弾性体の
弾発力によってカートリッジ内の板状体にケースに設けた繰り出し口側へ常時押圧力を負
荷するようしておき、カートリッジ内の最上部の板状体を、その繰り出し方向先端よりも
後方に寄った部位に繰り出し力を負荷しつつ、繰り出し口から順次一枚ずつ引き出すよう
にするとともに、板状体を取り出した後は直ちに次位の板状体が繰り出し口に臨むように
したものである。
【０００８】
上記のような構成によれば、カートリッジ内の最上部の板状体から順番に、その繰り出
し方向先端よりも後方に寄った部位に繰り出し力を負荷しながら繰り出して行く。しかも
最上部のものから順次一枚ずつ繰り出すことができる。その結果、ケースから繰り出され
た板状体の先端を手指で摘んだり、手で持ち替えたりする必要もなく、そのまま板状体の
先端から所望の載置箇所や装填箇所に送り込むことができる。
【発明の効果】
【０００９】
したがって、この発明は以下の効果を奏する。
以上説明したように、本発明の請求項１に係る板状体振り出し容器は、カートリッジ内
の最上部の板状体を、その繰り出し方向先端よりも後方に寄った部位に繰り出し力を負荷
でき、しかも最上部のものから順次一枚ずつケースの繰り出し口から繰り出すことができ
るから、従来の構造と違って、板状体を確実に一枚ずつ、しかも一定方向に繰り出すこと
が出来る。また、板状体の先端を指で摘んでこれを汚損したり湿潤させたりするおそれが
なくなり、先端を可及的に手指の接触から開放して、乾燥性を高度に保持でき、また、電
極の汚損なども可及的に少なく出来るようになった。併せて板状体を一枚ずつ的確に、し
かもスムーズに取り出すことができるので、振り出し性能の確実性をうまく確保できるよ
うになった。
【００１０】
この発明では請求項２に記載のように、ケース本体に対して開閉する上蓋を備えると共
に、板状体を一枚ずつ取り出し可能にした繰り出し口を備えたケースと、このケースに挿
抜自在に嵌合される板状体を積層して収容してあるカートリッジと、板状体を前記繰り出
し口に向けて常時押圧するように働く弾性体を備えてケースの底部に着脱自在に装着され
る底蓋を備えている。
【００１１】
以上の構成によると、容器はケースとカートリッジと底蓋との三つのパーツから構成さ
れ、夫々が挿抜自在で組み立てられることができるから、カートリッジをケースに装填す
る作業が大変簡単に行なえ、作業能率の向上に貢献する。また、蓋を設けることで、気密
性を高めることが出来る。カートリッジはアルミ包装のパウチなどに入れて別途販売でき
、しかも板状体はカートリッジごとケースに装填できるために、装填の際の手指による板
状体の汚損や湿潤を上手く防止できる。
【００１２】
以上の構成においてこの発明は、請求項３に記載のように、ケースの繰り出し口には、
少なくとも板状体の長さ方向の１／２〜２／３の範囲を覆う上壁が設けられていたり、請
求項４に記載のように、繰り出し口の上壁はこの繰り出し口の上方全域を覆い、板状体の
長さ方向に対応する一側面に板状体を容器外方へ送り出すスライド出口が形成されている
のが望ましい。
上壁を板状体のガイドとして機能させて、繰り出しの確実性を一層的確に確保すると共
に、湿潤を可及的に少なくすることができるからである。
【００１３】
以上の構成においてこの発明では、請求項５に記載のように、繰り出し口の上壁には、
最上部の板状体に接触してこれを容器外方へ送り出す送り出しローラが設けられているの
が望ましい。
板状体に対する手指の直接的な接触をなくし、汚損や湿潤を可及的に少なくできるから
である。
【００１４】
以上の構成においてこの発明は、請求項６に記載のように、ケースと上蓋、また、ケー
スと底蓋との閉め合わせ部には気密素子が設けられいるのが望ましい。
ケース内部を外気から遮断でき、板状体の乾燥性を高く保てるからである。
【００１５】
以上の構成においてこの発明は、請求項７に記載のように、カートリッジは上下開放で
、底部の内周には板状体支持フランジが設けられているのが望ましい。
板状体の繰り出しをスムーズに行なえる上に、カートリッジ内の板状体の保持を的確に
行なえるからである。
【００１６】
以上の構成においてこの発明は、請求項８に記載のように、  カートリッジは底部に乾
燥剤が収容されているのが望ましい。
板状体の乾燥性を更に高く保てるからである。また、カートリッジに収容させることで
、交換時期を逸して乾燥剤の機能が損なわれるのを未然に防止できるからである。
【発明を実施するための最良の形態】
【００１７】
板状体、つまり薄板小片状チップを容器から振り出すに当たって、振り出し性能を高め
、併せてこの薄板小片状チップの端部を可及的に手指の接触から開放して、高い乾燥性を
確保したり、電極の汚損を可及的に少なく出来るようにするという目的を、携帯に便利で
機密性が高くしかも格段に簡素な構造で実現できるようにした。
【００１８】
〔実施例１〕
先ず、本発明に係る板状体の振り出し容器を医療用センサーチップの振出容器に適用し
た場合について、図１〜４を参照しながら以下具体的に説明する。
【００１９】
図１は、全体外観図で、容器１は、大きく分けて三部品から構成されていて、図２に示
すように、上部に開閉蓋２を備えたケース本体３、このケース本体３の内部に挿抜自在に
収容されるカートリッジ４、そしてこのカートリッジ４の収納状態を保つ底蓋５とから構
成されている。
【００２０】
ケース本体３は、上下開放の直方体形状の筒部材で構成されている。上方の開放部は、
一方の短辺から他方の短辺に向け、長辺の半分よりもやや長い寸法分（図例では約３／５
）にわたって設けられた上壁６によって完全に閉塞されている。そして残りの部分（図例
では約２／５）が開放されていて、この開放部分を繰り出し口７に形成してある。つまり
、図３に示すように、上壁６の内面６Ａの高さレベルとケース本体３のこの繰り出し口７
が望む側の側壁３Ａの上端３Ａ１との高さレベルとの間には、ほぼ一枚分の医療用センサ
ーチップ８の厚みと同等の開放寸法Ｌが設けられている。また、この繰り出し口７に望む
側の側壁３Ａとは反対側の側壁３Ｂの上端部分外側には、この反対側の側壁３Ｂに沿って
設けられたヒンジ９を支点に揺動自在に前記開閉蓋２が取り付けられている。閉塞時には
このケース本体３の前記上壁６並びに繰り出し口７全域を覆うようになっている。また、
ケース本体３の前記ヒンジ９の存在位置よりもやや上方で、前記開閉蓋２とこのケース本
体３周壁との閉め合わせ部には、このケース本体３の全周に渡って、気密素子の一例とし
てのＯリング１０が装着されている。開閉蓋３を閉止した時の気密性を高めるためである
。
【００２１】
カートリッジ４は、上下開放の直方体形状の筒部材で構成されている。図４に示すよう
に、底辺の内側には水平なフランジ４Ａが一体に設けられていて、積層状態で収容される
板状体の一例としての医療用センサーチップ８と、その下に積層される乾燥剤１１が底部
から抜け落ちないように支えている。この医療用センサーチップ８並びに乾燥剤１１は、
積層されたままの姿で乾燥剤１１を下にして、このカートリッジ４の上方開放部分から収
容される。因みにこのカートリッジ４は、医療用センサーチップ８並びに乾燥剤１１を収
容した状態で、例えばアルミ包装のパウチなどに入れて別途販売する。しかも医療用セン
サーチップ８はカートリッジ４ごとケース本体３に装填できるために、装填の際の手指に
よる医療用センサーチップ８の汚損や湿潤を上手く防止できる。また、このカートリッジ
４の側壁上部の全周には横外方へ、等寸で一体的に水平フランジ１２が突設されていてい
る。ケース本体３にこのカートリッジ４を嵌合させた際に、この水平フランジ１２以外の
カートリッジ４の側壁外面とケース本体３の側壁内面との間に隙間１３が得られるように
してある。ケース本体３の側壁内面とこのカートリッジ４の側壁内面とが密接して、カー
トリッジ４の挿抜をスムーズに行なえなくなる不都合を未然に上手く解消するためである
。尚、図４中、Ｃはアルミ包装のパウチなどに収容される際に、このカートリッジ４の上
方開放部を閉止するように装着されるキャップである。
【００２２】
底蓋５は、図２，３に示すように、ケース本体３の底に内嵌合される上方へ突出した嵌
合突部１４を備えていると共に、その内底には、弾性体の一例である左右一対の圧縮スプ
リング１５が備わっている。この嵌合突部１４の前後左右の外回り寸法は、ケース本体３
の前後左右の内法寸法と同じに設定されていて、底蓋５をケース本体３に嵌入した際には
、両者は密に嵌合する。また、この圧縮スプリングイ１５は前記カートリッジ４に収納さ
れた医療用センサーチップ８を乾燥剤１１を介して上方へ弾性的に押圧する。言うまでも
なくこの圧縮スプリング１５はカートリッジ４内に収容された医療用センサーチップ８を
繰り出し口７から全て排出するに足る上下寸法と弾発力が備わっている。また、この底蓋
５の前後両側面にはそれぞれケース本体３からこの底蓋５を引き出すための摘み１６が一
体に形成されている（図２参照）。この摘み１６は、図示するように、全体が底蓋５の前
後それぞれの側面５Ａから外方へ均等な寸法で膨出していて、上方へ突となった半円形で
、表面には滑り止め用の多数の凹凸溝１７が設けられている。膨出寸法は、この底蓋５の
底部全周にわたって設けられた前記ケース本体３の底辺を受け止めるための受け止め段部
１８の突出幅と同寸である。また、ケース本体３の前後両側壁３Ｃには、その左右方向の
中央部分に、底辺から上方へ向けて上方に凸となった半円形の切り欠き１９が形成されて
いて、この摘み１６に上下方向で嵌合する。
【００２３】
この摘み１６は、カートリッジ４の詰め替えなどの際に、底蓋５をケース本体３から引
き出すのに便利である。それは、底蓋５とケース本体３との嵌合は、圧縮スプリング１５
の弾発力だけによっては互いの嵌合が解除されないように、この圧縮スプリング１５の弾
発力に抗して密に嵌合するように前記のように寸法設定されているからである。
【００２４】
尚、図１中２０は開閉蓋２の摘みである。また、図３中２１はこの開閉蓋２を閉止した
際に、これを受け止め支持するために、ケース本体３の側壁上部全周にわたって一体に設
けられた受け止め段部である。
【００２５】
以上の実施例１による板状体振り出し容器によれば、図２の分解斜視図に示すように、
乾燥剤１１そしてその上に多数の医療用センサーチップ８が予め積層されて収納されてい
るカートリッジ４をケース本体３の下方の開放部から嵌入する。この際、カートリッジ４
に設けた前記水平フランジ１２の働きで、カートリッジ４はケース本体３の内面に引っ掛
かることなくスムーズに嵌入できる。次いで、ケース本体３の底部開放から底蓋５を嵌入
する。嵌入と時を同じにして、カートリッジ４内の医療用センサーチップ８が乾燥剤１１
を介して圧縮スプリング１５の弾発力によって全体が上方へ押し上げられ、最上部の医療
用センサーチップ８Ａが上壁６の内面６Ａに押圧された状態でセットされる。医療用セン
サーチップ８を取り出すには、図１に示すように、まず開閉蓋２をヒンジ９を介して開け
、繰り出し口７に臨む最上段の医療用センサーチップ８の上面中央部分、つまりは上壁６
の辺縁近傍に該当する部位に、例えば親指の腹部分で側方へ押し出すような力を掛けて、
順次側方（矢印方向）へ繰り出す。最上部の操り出しが終わると同時に圧縮スプリング１
５の働きで次位の医療用センサーチップ８が上壁６の内面６Ａに押圧された状態で次の繰
り出しに備える。
【００２６】
カートリッジ４内の医療用センサーチップ８が全て繰り出されたら、底蓋５の摘み１６
を指先で摘んで、この底蓋５をケース本体３から引き出し、新しいカートリッジを先の要
領でケース本体３に入れ替える。
【００２７】
このように、上記の第１の実施例による構成では、従来のように容器を逆さにして医療
用センサーチップを取り出し、これを手指で摘まなければ取り出せない手法とは全く異な
り、繰り出し口７から繰り出しながら、そのまま手指で摘んだりすることなく、直に検査
装置などへ送り込むことができる。したがって、医療用センサーチップ８の先端を手指で
摘んでこれを汚損したり湿潤させたりするおそれがなくなり、先端を可及的に手指の接触
から開放して、乾燥性を高度に保持でき、また、汚損を可及的に少なく出来るようになっ
た。併せて医療用センサーチップ８を一枚ずつ的確に、しかも一定方向へスムーズに取り
出すことができ、振り出し性能の確実性をうまく確保できる。また、この容器１は、図示
されるように、直方体形状の三部品の組み合わせによるライター形態で、ハンドリング、
持ち運びし易い形状に構成され、併せて容器を使い回しにすることで、装飾を施したりし
て高級感を持たせることも可能になった。
【００２８】
〔実施例２〕
次に、本発明に係る板状体の振り出し容器を医療用センサーチップの振出容器に適用し
た場合の第２の実施例について、図５〜６を参照しながら以下説明する。
尚、この第２の実施例において、先の実施例１と同様の構造については、実施例１と同
じ符号を付してその構造の詳細な説明は省略する。
【００２９】
この第２の実施例の特徴点は、繰り出しに当たって、医療用センサーチップ８に全く手
指を触れさせることなく、第１実施例と同様に、スムーズな繰り出しができるようにした
所にある。以下その具体的な構造を説明する。
【００３０】
図５は全体外観図、図６は全体の断面図である。図示するように、ケース本体３の上方
の開放部分全てが上壁２２で閉止されていて、実施例１にいう繰り出し口７の上方全域も
覆った形となっている。そして、図６に示すように、この上壁２２の左右方向の中央部分
にはケース本体３の内外に通じる孔２３が穿たれている。この孔２３の前後の辺縁には上
方に立ち上がるステー２４が設けられ、このステー２４間にわたって支軸２５が掛け渡さ
れ、この支軸２５に回転ローラ２６が回転自在に軸支されている。この回転ローラ２６は
、その下部周面が前記孔２３からケース本体３内方へ入り込み、丁度最上層の医療用セン
サーチップ８の上面に接触する大きさ寸法に設定されている。
【００３１】
また、繰り出し口７に代わって医療用センサーチップ８を容器から繰り出す構造は、図
６に示すように、上壁２２の内面２２Ａの高さレベルとケース本体３の一方の側壁３Ａの
上端３Ａ１との高さレベルとの間には、ほぼ一枚分の医療用センサーチップ８の厚みと同
等寸法Ｌの開放が設けられていて、この開放が繰り出し口７として機能するように構成さ
れている。つまり、繰り出し口７の上壁２２はこの繰り出し口７の上方全域を覆い、医療
用センサーチップ８の長さ方向に対応する一側面にこの医療用センサーチップ８を容器１
側方外方へ送り出す繰り出し口の一例であるスライド出口７Ａが形成されている。
【００３２】
したがって、この第２の実施例の構造では、容器１の内部は前記上壁２２に設けられた
孔２３とこのスライド出口７Ａとの二箇所のみが外気に連通しているのみであるから、容
器内部の気密性を高く保持できる。
【００３３】
このように構成された第２の実施例構造では、先の実施例１と同じようにして、図２の
分解斜視図に示すように、乾燥剤１１そしてその上に多数の医療用センサーチップ８が予
め積層されて収納されているカートリッジ４をケース本体３の下方の開放部から嵌入する
。この際、カートリッジ４に設けた前記水平フランジ１２の働きで、カートリッジ４はケ
ース本体３の内面に引っ掛かることなくスムーズに嵌入できる。次いで、ケース本体３の
底部開放から底蓋５を嵌入する。嵌入と時を同じにして、カートリッジ４内の医療用セン
サーチップ８が乾燥剤１１を介して圧縮スプリング１５の弾発力によって全体が上方へ押
し上げられ、最上部の医療用センサーチップ８Ａが上壁２２の内面２２Ａと回転ローラ２
６の下部周面に押圧された状態でセットされる。医療用センサーチップ８を取り出すには
、図５に示すように、まず開閉蓋２をヒンジ９を介して開け、次いで回転ローラ２６を回
転させることで、最上段の医療用センサーチップ８の上面中央部分に、側方へ押し出すよ
うな力を掛け、順次側方（矢印方向）へ繰り出す。この繰り出し動作によって医療用セン
サーチップ８はスライド出口７Ａから側方外方へ繰り出される。この最上部の医療用セン
サーチップ８の操り出しが終わると同時に圧縮スプリング１５の働きで次位の医療用セン
サーチップ８が上壁２２の内面２２Ａと回転ローラ２６の下部周面に押圧された状態で次
の繰り出しに備える。
【００３４】
カートリッジ４内の医療用センサーチップ８が全て繰り出されたら、底蓋５の摘み１６
を指先で摘んで、この底蓋５をケース本体３から引き出し、新しいカートリッジを先の要
領でケース本体３に入れ替える。
【００３５】
このように、この第２の実施例による構成では、先の第１の実施例に言う効果はそのま
ま発揮しながら、更に加えて容器１からの医療用センサーチップ８の繰り出しが、いわば
この医療用センサーチップ８の僅か一枚分の厚みの開口幅しか備えない前記のスライド出
口７Ａで行なわれるので、容器１内部の機密性を大変高度に維持できる。併せて医療用セ
ンサーチップ８の繰り出しが手指を用いることなく、回転ローラ２６のみによって行なえ
るようにしてあるので、この医療用センサーチップ８の乾燥性を更に高度に保持でき、ま
た、汚損を一層少なく出来るようになった。
【００３６】
（実施例３）
次に、上記第１並びに第２の各実施例の改良構造について、図７を参照しながら以下説
明する。
第１の改良点は、容器の気密性を更に高めるための工夫である。
図７（Ａ）に示すように、底蓋５の内部に、前記嵌合突部１４とカートリッジ４との間
で挟持されるゴムパッキン２７が装填されている。これによって、ケース本体３の底部側
が確実に外気から遮断され、上部に設けられているＯリング１０との協働によって、ケー
ス本体３内部の気密性が可及的に高度に保たれるようになる。更に具体的には、このゴム
パッキン２７は、前記底蓋５の嵌合突部１４の内部に装填される立ち上がり部２７Ａと、
その上縁に一体に連なって横外方へ突出するフランジ部２７Ｂを備えて形成されている。
そして、容器を組み立てた際に、このフランジ部２７Ｂが前記嵌合突部１４の上縁１４Ａ
とカートリッジ４の下縁４Ｂとの間で挟持され、併せてケース本体３の周壁内面に密着さ
せるようにすることで、容器１の内部下部側を外気から遮断して、その気密性を保てるよ
うにしてある。
【００３７】
なお、このゴムパッキン２７は、図７（Ｂ）の部分拡大図に示すように、前記嵌合突部
１４の内面上部に形成したアンダーカット１４１によってこの嵌合突部１４からの不用意
な離脱を阻止するようにしておくのが望ましい。
【００３８】
今一つの改良点は、医療用センサーチップ８の繰り出しをより確実に行なえるようにす
るための工夫で、前記圧縮スプリング１５の弾発力を、医療用センサーチップ８の繰り出
しのために理想的に働かせる点にある。
図７（Ａ）に示するように、底蓋５の前記嵌合突部１４の内底部には、左右一対のばね
受け２８が設けられている。このばね受け２８には圧縮スプリング１５の下端が外嵌合さ
せていて、その起立姿勢が正しく保てるようにしてある。このばね受け２８の存在によっ
て、左右一対の圧縮スプリング１５弾発力が、希望するように直線的に上方へ向かい、医
療用センサーチップ８に均等な押圧力が作用し、この医療用センサーチップ８の繰り出し
をスムーズに行える。
【００３９】
なお、図７（Ｃ）に示すように、このばね受け２８の周部にアンダーカット２８１を設
け、圧縮スプリング１５の下部をこのアンダーカット２８１より更に下方へ押し込み嵌合
させることで、不用意な離脱をより的確に阻止するようにしておくのが望ましい。
【００４０】
この発明では、以上の各実施例、また、改良構造に採用した構造以外にも各種の変形構
造を採用できる。例えば、圧縮スプリング１５を一つとして、嵌合突部１４の中央部分に
配置したり、必要に応じて乾燥剤１１を採用しなかったり、カートリッジ４に設けられる
前記水平フランジ１２は下部にも設けて、上下一対にしたり、Ｏリング１０に代えてゴム
パッキングを採用したり、ゴムパッキン２７に代えてケース本体３内面と嵌合突部１４外
面との何れか一方にＯリングを配置したりなど、この発明の所期の趣旨を逸脱しない範囲
において種々の変形例を採用できることは言うまでもない。また、医療用センサーチップ
８以外にも、例えば集積チップや電極があって手で触れないほうが良い板状の検出チップ
などにも適用できることは言うまでもない。
【図面の簡単な説明】
【００４１】
【図１】本発明に係る板状体振り出し容器の第１の実施例を示し、全体の外観図である。
【図２】図１に示す板状体振り出し容器の分解斜視図である。
【図３】図１に示す板状体振り出し容器の断面図である。
【図４】図１に示す板状体振り出し容器に採用されるカートリッジを示し、板状体並びに乾燥剤を収容した状態の断面図である。
【図５】本発明に係る板状体振り出し容器の第２の実施例を示し、全体の外観図である。
【図６】図５に示す板状体振り出し容器の断面図である。
【図７】改良構造を示し、（Ａ）、（Ｂ）（Ｃ）はそれぞれ要部の拡大断面図である。
【符号の説明】
【００４２】
１…容器
３…ケース本体
４…カートリッジ
５…底蓋
６…上壁
７…繰り出し口
７Ａ…スライド出口
８…医療用センサーチップ
１０…Ｏリング
１１…乾燥剤
１４…嵌合突部
１５…圧縮スプリング
２６…回転ローラ
【図１】
2006347550.tif 000003
【図２】
2006347550.tif 000004
【図３】
2006347550.tif 000005
【図４】
2006347550.tif 000006
【図５】
2006347550.tif 000007
【図６】
2006347550.tif 000008
【図７】
2006347550.tif 000009